(57)【特許請求の範囲】
【請求項１】
キッチンキャビネットの天板上面にコンロを設置すると共に、該コンロの下方側に、引出式の湯沸器と引出式の保温庫とを並設するか又は引出式の湯沸器と引出式の熱冷まし庫とを並設したことを特徴とするキッチンで用いられる湯沸器。
【請求項２】
キッチンキャビネットの天板上面にコンロを設置すると共に、該コンロの下方側に引出式の湯沸器と、引出式の保温庫と、引出式の熱冷まし庫とを並設したことを特徴とするキッチンで用いられる湯沸器。
【発明の詳細な説明】
【０００１】
【発明の属する技術分野】
本発明は、キッチンキャビネットのコンロ下方へ引出式の湯沸器を組み込んだ技術に関するものである。
【０００２】
【従来の技術】
通常、キッチンのキャビネットは、天板上にコンロが設置され、該コンロの下方に引出式の魚焼きグリルが設置されることが多い。そして、湯沸器はポットタイプの場合、別の調理台等に設置されて使用されているのが現状である。またやかんで湯を沸かす場合は、やかんをコンロの上に設置して加熱し、湯を沸かしている。
【０００３】
【発明が解決しようとする課題】
ところで、前記魚焼きグリルは、その使用頻度は極めて低いものであり、各家庭において滅多に使用されることはない。
またポットタイプの別置きの湯沸器は毎日使用されるものである。しかも、この湯沸器からは水蒸気が排出されるが、その処理に困っていた。
他方、やかんで湯を沸かす場合は、コンロの口数が決まっているので、他の調理のために全てのコンロが使用されている時には、これらの調理が終了しなければ湯を沸かすことができず、ロスタイムが発生していた。
更に、冷たいお茶を作りたいときは、茶葉に沸かし上げたお湯を通して熱いお茶をつくり、これに水をかける等して冷ましているが、水の無駄な使用量が多くなり、また冷ますのに長い時間を要するという欠点があった。
【０００４】
【課題を解決するための手段】
本発明は従来の前記課題に鑑みてこれを改良除去したものであって、キッチンキャビネットに引出式の湯沸器を装着し、コンロとは別に湯を沸かし上げるようにしたキッチンで用いられる湯沸器を提供せんとするものである。
【０００５】
前記課題を解決するために本発明が採用した請求項１の手段は、キッチンキャビネットの天板上面にコンロを設置すると共に、該コンロの下方側に、引出式の湯沸器と引出式の保温庫とを並設するか又は引出式の湯沸器と引出式の熱冷まし庫とを並設したことを特徴とするキッチンで用いられる湯沸器である。
この発明では、コンロの下方側に設置される魚焼きグリルの代わりに引出式の湯沸器と引出式の保温庫を並設するか又は引出式の湯沸器と引出式の熱冷まし庫を並設している。そのため、湯沸器を別置きにする必要がなく、スペース的にも有利である。
【０００７】
本発明が採用した請求項２の手段は、キッチンキャビネットの天板上面にコンロを設置すると共に、該コンロの下方側に引出式の湯沸器と、引出式の保温庫と、引出式の熱冷まし庫とを並設したことを特徴とするキッチンで用いられる湯沸器である。
この発明によれば、コンロ下方に引出式の湯沸器と保温庫と熱冷まし庫とが並設されており、湯を沸かし上げた後は、保温庫で所定の温度に保温されるか又は熱冷まし庫において熱さましが行われる。従って、無駄な使用水量をなくすことが可能である。
【０００８】
【発明の実施の形態】
以下に、本発明の構成を図面に示す発明の実施の形態に基づいて説明すると次の通りである。図１及び図２は本発明の一実施の形態に係るものであり、図１はキッチンキャビネット１の全体を正面側から見た斜視図、図２はその湯沸器の部分における縦断面側面図である。同図に示す如く、この実施の形態にあっては、キャビネット本体３の上部（天板２の上面）にコンロ４を設置している。またこのコンロ４の下方には、引出式の湯沸器５と保温庫６と熱冷まし庫７とを並設しており、更にこれらの下方には収納キャビネット８を設置している。
【０００９】
引出式の湯沸器５と保温庫６と熱冷まし庫７とは、例えば水を溜めておくことのできる取り出し自在なケースとし、湯沸器５と保温庫６のケース内にはヒータ（図示せず）を埋設する等して加熱源を確保している。また各ケースの前面板５Ａ，６Ａ，７Ａの中央には上下方向に把手９が取り付けられている。これらの湯沸器５と保温庫６と熱冷まし庫７の背面側（奥側）には共通の排気通路１１が形成されており、その排気口１２は天板２の上面奥側に開口設置されている。更に、天板２の下方で湯沸器５の上方には、湯沸器５内に水を供給するための吐水口１３が設けられており、電磁弁１４によって給水状態及び止水状態の切り替えが行われるようになっている。尚、湯沸器５及び保温庫６並びに熱冷まし庫７と、収納キャビネット８との境界には、耐熱幕板１５が設置されており、各湯沸器５，保温庫６，熱冷まし庫７で発生した熱が収納キャビネット８側へ伝達され難いようになっている。
【００１０】
湯沸器５においては、電磁弁１４をＯＮにすることでケース内へ給水が自動的に給水され、例えば所定の給水量で自動的に止水状態となる。給水終了後は湯沸器５の電源（図示せず）を投入し、ヒータで加熱する。このとき、湯沸器５の電源スイッチに連動して排気通路１１のファンを駆動させるようにしておけばファンの操作を別個に行う必要がなく、湯沸器５から排出される水蒸気を排気通路１１及び排気口１２を経て天板上面へ排出することができる。なお、排出された水蒸気はレンジフードの排気ファンを通じて建物躯体の外部へ排出される。
【００１１】
湯沸器５は、ケースの外側板の温度を測定すること等により、湯の温度を検知することができ、沸き上がったことが検知されると、ヒータへの通電が停止され、加熱が終了する。然る後は、湯沸器５のケースと保温庫６のケースとを入れ換える等して沸き上がった湯を保温庫６へ移し替る。保温庫６では、ケースの外側板の温度を検知する等してケース内の湯の温度を所望する設定温度になるようにヒータへの通電を断続して保温制御する。
なお、湯沸器５においても、自動的に湯の温度が設定温度になるように保温することも可能である。
【００１２】
熱冷まし庫７では、沸かし上げた湯で麦茶等を作り、これを自然放置する等して冷蔵庫に貯蔵できる程度の温度以下になるまで冷却する。必要であれば、熱冷まし庫７では、そのケースの外周に沿って水の循環パイプを張り巡らし、積極的な熱冷ましを行うようにすることも可能である。
【００１３】
ところで、本実施の形態にあっては、湯沸器５，保温庫６，熱冷まし庫７を前後方向へスライド自在としたため、出し入れが容易であり、これらの高さ寸法を大きくする必要がない。そのため、これらの下方に収納キャビネット８を設置することが可能である。
なお、本発明は上述した実施の形態に限定されるものではなく、例えば、湯沸器５及び保温庫６においては、そのケースを金属材料で成形し、ケースの下方に電磁調理器を設置することにより、湯を沸かし上げたり、保温するような加熱手段を用いるようにしてもよい。
【００１４】
【発明の効果】
以上説明したように本発明にあっては、キッチンキャビネットの天板上面にコンロを設置すると共に、該コンロの下方側に、引出式の湯沸器と引出式の保温庫とを並設するか又は引出式の湯沸器と引出式の熱冷まし庫とを並設したから、コンロの下方側に設置される魚焼きグリルの代わりに引出式の湯沸器が設置されることになる。そのため、湯沸器を別置きにする必要がなく、キッチンスペースの有効利用が可能である。
【００１６】
更に、本発明にあっては、キッチンキャビネットの天板上面にコンロを設置すると共に、該コンロの下方側に引出式の湯沸器と、引出式の保温庫と、引出式の熱冷まし庫とを並設したから、湯を沸かし上げた後は、保温庫で所定の温度に保温するか又は熱冷まし庫において熱さましを行うことができ、コンロが全て調理等に使用されている場合であってもこれとは無関係に湯を沸かし上げることが可能である。また熱冷ましのために、無駄な水を使う必要もない。
【図面の簡単な説明】
【図１】本発明の一実施の形態に係る湯沸器を前面側から見た斜視図である。
【図２】本発明の一実施の形態に係る湯沸器の縦断面側面図である。
【符号の説明】
１…加熱機器、２…天板、３…キャビネット本体、４…コンロ、５…湯沸器、６…保温庫、７…熱冷まし庫、８…収納キャビネット、１１…排気通路、１２…排気口
【図１】
0003673839.tif 000002
【図２】
0003673839.tif 000003